(57)【特許請求の範囲】
【請求項１】
幅方向に複数列の伝熱管挿通孔を有し、互いに所定間隔を存して並設され、互いの隙間に熱交換空気が流通する複数枚の放熱フィンと、
これら放熱フィンの上記伝熱管挿通孔に貫通して設けられ、内部に熱交換媒体が導通する伝熱管とを具備した熱交換器において、
上記放熱フィンの幅方向に隣り合う伝熱管列間に、伝熱管列相互間での熱伝導を阻止する遮熱手段が設けられ、
上記遮熱手段は、上記放熱フィン相互間を流通する熱交換空気の風速の大きい部分が片側切起しもしくは両側切起こしで形成され、放熱フィン相互間を流通する熱交換空気の風速の小さい部分がカットもしくは切り抜きで形成されていることを特徴とする熱交換器。
【請求項２】
吸込み口および吹出し口を備え、前面板および後本体とから構成される室内機本体と、この室内機本体内に配置される熱交換器と、上記吸込み口から室内空気を吸込んで上記熱交換器に流通させ、ここで熱交換したあと上記吹出し口から室内へ送風する送風機とを具備する空気調和機の室内機において、
上記熱交換器は、
幅方向に複数列の伝熱管挿通孔を有し、互いに所定間隔を存して並設され、互いの隙間に熱交換空気が流通する複数枚の放熱フィンと、
これら放熱フィンの上記伝熱管挿通孔に貫通して設けられ、内部に熱交換媒体が導通する伝熱管と、
上記放熱フィンの幅方向に隣り合う伝熱管列間に、伝熱管列相互間での熱伝導を阻止する遮熱手段が設けられ、
上記遮熱手段は、上記放熱フィン相互間を流通する熱交換空気の風速の大きい部分が片側切起しもしくは両側切起こしで形成され、放熱フィン相互間を流通する熱交換空気の風速の小さい部分がカットもしくは切り抜きで形成されていることを特徴とする空気調和機の室内機。
【発明の詳細な説明】
【技術分野】
【０００１】
本発明は、フィンチューブタイプの熱交換器と、この熱交換器を備えた空気調和機の室内機に係り、特に熱交換器を構成する放熱フィンに設けられ、伝熱管列相互間での熱伝導を阻止する遮熱手段の改良に関する。
【背景技術】
【０００２】
室内機と室外機とから構成される空気調和機の室内機において、フィンチューブタイプの熱交換器が多用される。この熱交換器は、幅方向に複数列の伝熱管挿通孔を有し、互いの隙間に熱交換空気を流通させる複数枚の放熱フィンと、伝熱管挿通孔に挿通され放熱フィンを貫通し、内部に熱交換媒体（冷媒）を導通する伝熱管から構成される。  
上記熱交換器における複数列の伝熱管は、送風機から吹出される熱交換空気の入り側の列と出側の列とによって温度差が生じる。したがって、高温の伝熱管列から低温の伝熱管列に放熱フィンを介して伝熱し、その分だけ熱交換空気との熱交換量が減少して性能低下を招いてしまう。
【０００３】
この対応として、たとえば［特許文献１］および［特許文献２］では、放熱フィンの幅方向に隣り合う伝熱管列間に、伝熱管列相互間の熱伝導を防止する遮熱手段を設けている。上記遮熱手段は、放熱フィンの上端から下端に亘って設けられる、もしくは放熱フィンの必要な部位に設けられる同一形状の切込み（カット）である。  
ところが、空気調和機の室内機においては、熱交換器と対向して送風機が配置されていて、吸込み口を介して熱交換器に室内空気を導き、熱交換させてから吹出し口を介して室内に吹出すようになっている。そのため、熱交換器は部分的に風速が大であるところと、小であるところが存在する。
【０００４】
上述の放熱フィンでは、全体的に通風抵抗が均一であり、そのため風速が不均一になって、風速の違いから部分的に熱交換効率に差が生じ、熱交換性能の低下を招く。この種の条件に対応したのが、たとえば［特許文献３］であり、放熱フィンに設けられるスリットの数を部分的に減少して、通風抵抗を変化させている。
【特許文献１】特開２００４−３２５０４４号公報
【特許文献２】特開２００４−  ８５１３９号公報
【特許文献３】特開平  １１−  ２３１７９号公報
【発明の開示】
【発明が解決しようとする課題】
【０００５】
このように、従来は放熱フィンの幅方向に複数列の伝熱管を設け、伝熱管列相互間の伝熱を遮断する手段を備えた技術と、放熱フィンにおける通風抵抗を部分的に低減させる手段を備えた技術がそれぞれ単独で存在しているが、双方を兼ね備えた技術の開発には至っていない。  
なお、遮熱手段として上述のカット（切込み）の他に、両側切起しが考えられるところから、本出願人は両側切起しとカットおよび上述の通風抵抗を減少する手段としてのスリット（切起し）数減少構造を例にとって、それぞれの熱交換器における熱伝達率と通風抵抗を解析した。その結果を、図７に示す。  
両側切起しを基準として熱伝達率と通風抵抗を１００％と設定すると、カットの場合は熱伝達率を略同等に維持するが、通風抵抗は大幅に減少する。スリット数を減少した場合は、通風抵抗が減少するが、同時に熱伝達率も低下してしまう。換言すれば、両側切起しを採用すると、熱伝達率の低下がなく、かつ両側部相互間における通風抵抗が大である。
【０００６】
本発明は上記事情に着目してなされたものであり、その目的とするところは、上記の結果から、放熱フィンにおける各伝熱管列間の熱伝導を阻止するとともに、風速の大きい部分と小さい部分に対応した通風抵抗を得て、風速分布の略均一化を図り熱交換効率の向上を得られる熱交換器と、この熱交換器を備えて熱交換性能の向上を得られる空気調和機の室内機を提供しようとするものである。
【課題を解決するための手段】
【０００７】
上記目的を達成するため本発明の熱交換器は、幅方向に複数列の伝熱管挿通孔を有し互いに所定間隔を存して並設され互いの隙間に熱交換空気が流通する複数枚の放熱フィンと、これら放熱フィンの伝熱管挿通孔に貫通して設けられ内部に熱交換媒体が導通する伝熱管とを具備した熱交換器において、上記放熱フィンの幅方向に隣り合う伝熱管列間に、伝熱管列相互間での熱伝導を阻止する遮熱手段が設けられ、遮熱手段は、放熱フィン相互間を流通する熱交換空気の風速の大きい部分が片側切起しもしくは両側切起こしで形成され、放熱フィン相互間を流通する熱交換空気の風速の小さい部分がカットもしくは切り抜きで形成されている。
【０００８】
上記目的を達成するため本発明の空気調和機の室内機は、吸込み口および吹出し口を備え、前面板および後本体とから構成される室内機本体と、この室内機本体内に配置される熱交換器と、吸込み口から室内空気を吸込んで熱交換器に流通させ、ここで熱交換したあと吹出し口から室内へ送風する送風機とを具備する空気調和機の室内機において、上記熱交換器は、幅方向に複数列の伝熱管挿通孔を有し互いに所定間隔を存して並設され互いの隙間に熱交換空気が流通する複数枚の放熱フィンと、放熱フィンの伝熱管挿通孔に貫通して設けられ内部に熱交換媒体が導通する伝熱管と、放熱フィンの幅方向に隣り合う伝熱管列間に伝熱管列相互間での熱伝導を阻止する遮熱手段が設けられ、遮熱手段は、放熱フィン相互間を流通する熱交換空気の風速の大きい部分が片側切起しもしくは両側切起こしで形成され、放熱フィン相互間を流通する熱交換空気の風速の小さい部分がカットもしくは切り抜きで形成されている。
【発明の効果】
【０００９】
本発明によれば、放熱フィンにおける各伝熱管列間の熱伝導を阻止するとともに、風速の大きい部分と小さい部分に対応した通風抵抗を得て、風速分布の略均一化を図り、熱交換効率の向上と、熱交換性能の向上を得られる等の効果を奏する。
【発明を実施するための最良の形態】
【００１０】
以下、図面を参照しながら、本発明の実施の形態について詳細に説明する。  
図１（Ａ）（Ｂ）は空気調和機を構成する室内機の模式的な断面図であり、互いに異なる状態を示している。  
図中１は、前面板１Ａと後本体１Ｂとから構成される筐体からなる室内機本体である。この室内機本体１は、側面視で湾曲成される前面部を備え、上面部と下面部および左右両側部は、ほぼ平板状をなしている。  
室内機本体１の上面部には上面吸込み口２が設けられ、前面部には前面吸込み口３が設けられる。上記前面吸込み口３の下部に沿って吹出し口４が設けられる。上面吸込み口２にはグリル５が嵌め込まれていて、常時、開口状態にあるが、前面吸込み口３には可動式のフラットパネル６が開閉機構Ｋを介して開閉自在に取付けられる。
【００１１】
上記吹出し口４には、上下部２枚の水平ルーバ７Ａ，７Ｂが上下に並行して設けられる。上下部水平ルーバ７Ａ，７Ｂはそれぞれが図示しない駆動機構に連結され、制御部（制御手段）８により別個に回動制御される。すなわち、吹出し口４から吹出される熱交換空気の上下方向の風向を設定する、もしくは吹出し口４を閉成できる。  
室内機本体１内には冷凍サイクル構成機器である熱交換器９が配置されていて、この熱交換器９は前側熱交換器部９Ａと後側熱交換器部９Ｂとで側面視で略逆Ｖ字状に形成される。前側熱交換器部９Ａは、室内機本体１の前面から上面の一部とほぼ平行に湾曲成される。後側熱交換器部９Ｂは、直状で斜めに傾斜して上面吸込み口２と対向する。
【００１２】
ここでは、前側熱交換器部９Ａの上部と、後側熱交換器部９Ｂに沿って補助熱交換器部９Ｃ、９Ｄが設けられるが、仕様によってはいずれか一方、もしくは全く備えていない熱交換器もある。補助熱交換器部９Ｃ，９Ｄはいずれも前側熱交換器部９Ａと後側熱交換器部９Ｂの風上側に位置することが必要である。  
そして、補助熱交換器部９Ｃ，９Ｄに対して前側熱交換器部９Ａと後側熱交換器部９Ｂとで主熱交換器部９Ｅを構成することになる。いずれにしても、各熱交換器部９Ａ〜９Ｅにおいては、図２以下で後述するような遮熱部（遮熱手段）Ｓが設けられていて、風速分布の均一化を図り、熱交換効率の向上と、熱交換性能の向上を得られる。  
上記熱交換器９における前側熱交換器部９Ａの前面側には、電気集塵機１１が取付けられている。この電気集塵機１１は、上記制御部８と電気的に接続され、本来の集塵動作をなすとともにオゾン発生装置として機能させることも可能である。
【００１３】
上記熱交換器９の前後側熱交換器部９Ａ，９Ｂの相互間で、かつ上記吹出し口４と対向して、送風機１２が配置される。この送風機１２は、熱交換器９の幅方向寸法と略同一の軸方向寸法を備え、熱交換器９と対向して配置される横流ファンと、上記制御部８と電気的に接続され横流ファンを回転駆動するファンモータとから構成される。  
上記前側熱交換器部９Ａの下端は前ドレンパン１３ａ上に載り、後側熱交換器部９Ｂの下端は後本体１Ｂと一体に形成される後ドレンパン１３ｂ上に載って、それぞれの熱交換器部９Ａ，９Ｂから滴下するドレン水を受け、図示しない排水ホースを介して外部に排水できるようになっている。
【００１４】
前後ドレンパン１３ａ，１３ｂと近接した位置には、送風機１２のファンに対するノーズを構成し、かつ吹出し口７に亘って隔壁部材１４が設けられる。この隔壁部材１４と後本体１Ｂとで囲まれる空間が、ノーズと吹出し口４とを連通する吹出し路１５となる。室内機本体１内は上記送風機１２の駆動にともなって、上面吸込み口２および前面吸込み口３と、上記吹出し路１５とを連通する送風路１６が形成される。  
一方、上面吸込み口２および前面吸込み口３と、前部熱交換器部９Ａおよび上部熱交換器部９Ｂとの間にフィルタ１７が取付けられる。このフィルタ１７は、フラットパネル６を開放した状態で、吹出し口４上端から挿着され、必要に応じて同部位から取外し自在である。
【００１５】
上記フラットパネル６は、前面吸込み口３を閉成する状態で、フラットパネル６の上端と両側端が前面吸込み口３の上端と両側端に沿った位置に構成される。特に図１（Ａ）に示すように、フラットパネル６は前面吸込み口３を閉成するばかりでなく、フラットパネル下部６ａは吹出し口４の上部側を上部水平ルーバ７Ａとともに二重に閉成する。  
上記開閉駆動機構Ｋは、制御部８からの制御信号を受けると、駆動源はリンク部材を伸縮駆動してフラットパネル６を前後方向に移動する。具体的には、フラットパネル６を前面吸込み口３の閉成位置から前上方へ離間させ、この前面吸込み口３の上部側を大きく開放して位置姿勢を保持する「全開モード」と呼ぶ状態になる。
【００１６】
また、特に図示していないが、フラットパネル６が前面吸込み口３の閉成位置からわずかに前方へ離間し、前面吸込み口３を小さく開放するとともに、下端は吹出し口４の上部を覆って上部水平ルーバ７Ａの前面対向位置に保持され、上端が下端よりも前方へ突出する傾斜姿勢をなす、「半開モード」と呼ぶ状態もできる。  
このような空気調和機の室内機であり、図１（Ａ）に示すように運転停止時はフラットパネル６が前面吸込み口３を閉成する「全閉モード」となる。上下部水平ルーバ７Ａ，７Ｂは吹出し口４を閉成しているので、前面吸込み口３と吹出し口４から塵埃の侵入はない。フラットパネル下部６ａは上部水平ルーバ７Ａ表面に対する塵埃の付着を防止する。
【００１７】
たとえば、冷房運転を選択して運転開始ボタンを押すと、制御部８は室外機に収容されるコンプレッサ２１を駆動制御して冷凍サイクル運転が開始される。同時に、送風機１２が駆動され、開閉駆動機構Ｋと上下部水平ルーバ７Ａ，７Ｂはフラットパネル６と上下部水平ルーバ７Ａ，７Ｂを図１（Ｂ）に示す「全開モード」の状態とする。  
室内空気は上面吸込み口２および前面吸込み口３から室内機本体１内に吸込まれ、送風路１６に沿って導かれる。そして、電気集塵機１１で集塵され、熱交換器９と熱交換して冷気に変り、吹出し路１５を介して吹出し口４から吹出される。冷気が室内へ吹出されることにより、室内の冷房作用を得られる。
【００１８】
冷房運転の開始からある程度の時間が経過すると室温が設定温度にまで降下し、その状態が継続する。このとき居住人によっては、熱交換空気が直接当ることを好まない人もいる。そこで、リモコンに備えられる機能スイッチを操作することにより、居住人に直接風を当てない運転を設定できるようになっている。  
すなわち、設定ボタンを操作すると信号が制御部８へ送られ、制御部８は運転を冷房運転から弱冷房運転あるいは再熱除湿運転へ移行する、もしくは弱冷房運転あるいは再熱除湿運転から冷房運転へ移行するよう制御し、フラットパネル６を「全開モード」から「半開モード」に移行する。  
空気調和機においては、上述の冷房運転とは別に、暖房運転に切換えることも可能であるが、その説明は省略する。
【００１９】
つぎに、上記熱交換器９に備えられる遮熱部Ｓについて詳述する。  
図２（Ａ）は、比較例としての熱交換器Ｚ−１を説明する図、図２（Ｂ）は本発明における第１の実施の形態での熱交換器９−１と、この熱交換器９−１に設けられる遮熱部Ｓを説明する図である。  
いずれの熱交換器９−１、Ｚ−１においても、幅方向に複数列の伝熱管挿通孔ａを有する複数枚の放熱フィンｂが互いに所定間隔を存して並設され、これら放熱フィンｂの上記伝熱管挿通孔ａに伝熱管ｃが貫通する。上記各放熱フィンｂの互いの隙間に熱交換空気が流通し、伝熱管ｃ内には熱交換媒体である冷媒が導通する。
【００２０】
上記放熱フィンｂの幅方向に隣り合う伝熱管列ｃ１−ｃ２間に、伝熱管列ｃ１−ｃ２相互間での熱伝導を阻止する遮熱部ｄ，Ｓが設けられる。比較例としての熱交換器Ｚ−１に設けられる遮熱部ｄは、放熱フィンｂの上端から下端に亘って設けられる均一形状のカット（切込み）である。この場合、放熱フィンｂ形状が全面に亘って同一であり、カットｄも同一形状であるところから、放熱フィンｂ全面に亘って通風抵抗が均等である。
【００２１】
しかしながら、熱交換器Ｚ−１に対向して設けられる吸込み口３の形状構成や、送風機１２の配置条件あるいは室内機本体１の構造形状によっても、熱交換器Ｚ−１各部分に流通する熱交換空気の風速が相違する。図２（Ａ）は、上記送風機１２等の配置条件により、熱交換器Ｚ−１の上部側の風速が大であり、下部側の風速が小である例を示しており、各部での熱交換効率に差が生じて熱交換性能の低下をきたす。  
これに対して本発明における第１の実施の形態での熱交換器９−１は、基本的に図２（Ｂ）に示すような遮熱部Ｓの構成を採用している。なお、遮熱部Ｓ以外の熱交換器９−１の構成及び上記送風機１２の配置条件等は、上記図２（Ａ）に記載のものと同一である。すなわち、上部側熱交換器９ｕを流通する熱交換空気の風速が大であり、下部側熱交換器９ｄを流通する熱交換空気の風速が小であることが前提条件となっている。
【００２２】
放熱フィンｂの幅方向に隣り合う伝熱管列ｃ１−ｃ２間に設けられる遮熱部Ｓは、伝熱管列ｃ１−ｃ２相互間での熱伝導を阻止するとともに、放熱フィンｂ相互間を流通する熱交換空気の風速の大きい部分の通風抵抗が、風速の小さい部分の通風抵抗よりも大きくなるように構成される。  
なお説明すると、上部側熱交換器部９ｕを流通する熱交換空気の風速が大であるので、通風抵抗の大なる構造（以下、「高圧損」と呼ぶ）の遮熱部Ｓａを備えて、風速を下げさせる。逆に、下部側熱交換器部９ｄを流通する熱交換空気の風速が小であるので、通風抵抗の小なる構造（以下、「低圧損」と呼ぶ）の遮熱部Ｓｂを備えて、風速を上げさせる。上記高圧損Ｓａの具体的な構成は、たとえば片側切起し、もしくは両側切起しであり、低圧損Ｓｂの具体的な構成は、たとえばカット、もしくは切り抜き（開口部）である。  
このように、熱交換器９の上下部側熱交換器部９ｕ，９ｄに対向する風速の相違に対応して、通風抵抗が異なる構造の高圧損と低圧損の遮熱部Ｓａ，Ｓｂを選択して備えることで、熱交換器９−１全体が略均一な風速分布になり、略均一な熱交換効率を得る。そして、上記熱交換器９−１を備えた空気調和機では、熱交換性能の向上を得られる。
【００２３】
図３（Ａ）は、本発明における第２の実施の形態での熱交換器９−２を示している。  
上記熱交換器９−２は、側面視で略逆Ｖ字状をなし、室内機本体１の前面側に位置する前側熱交換器部９Ａおよび後面側に位置する後側熱交換器部９Ｂとから構成される。前側熱交換器部９Ａにおいて、上下方向の略中間部に切込みが入れられて、略くの字状に形成されているが、図１に示すように湾曲形成されたものであってもよい。  
上記後側熱交換器部９Ｂは、上記放熱フィンｂの幅方向に隣り合う伝熱管列ｃ１−ｃ２間に、伝熱管列ｃ１−ｃ２相互間での熱伝導を阻止するとともに、後側熱交換器部９Ｂにおける上部側の通風抵抗が、下部側の通風抵抗よりも大きくなるように構成される遮熱部Ｓを備えている。具体的には、上部側に高圧損の遮熱部Ｓａである両側切起しを設け、下部側に低圧損の遮熱部Ｓｂであるカットを設けている。
【００２４】
すなわち、先に図１（Ａ）（Ｂ）で説明したように、後側熱交換器部９Ｂの上端部に近接して上面吸込み口２が設けられているので、空調運転にともなって後側熱交換器部９Ｂに導かれる室内空気の風速が、後側熱交換器部９Ｂおける下端部よりも上端部が大になる。  
図３（Ｂ）に示すように、比較例としての熱交換器Ｚ−２を構成する後側熱交換器部９Ｂの上端から下端に亘って均一形状の遮熱部ｄであるカットを設けただけでは、上部側の風速が大となり、下部側の風速が小となって、風速分布に差が生じ後側熱交換器部９Ｂ全体に亘って均一な熱交換効率を保持できない。  
これに対して上述のように構成することにより、図３（Ｃ）に示すように後側熱交換器部９Ｂにおける上部側の通風抵抗が大になって風速が下がり、下部側の通風抵抗が小になって風速が上がる。結果として、後側熱交換器部９Ｂ全体に亘って略均一な風速分布になり、略均一な熱交換効率を得る。そして、上記熱交換器９−２を備えた空気調和機では、熱交換性能の向上を得られる。
【００２５】
図４（Ａ）は、本発明における第３の実施の形態での熱交換器９−３を示している。  
上述したように室内機本体１は、前面および上面に吸込み口３，２を備え、上記前面吸込み口３に対向して、前面吸込み口３を開放した状態で室内機本体１の上部側から室内空気を吸込ませる開口のないフラットパネル６が設けられることを前提としている。  
上記熱交換器９−３は側面視で略逆Ｖ字状をなし、室内機本体１の前面側に位置する前側熱交換器部９Ａおよび後面側に位置する後側熱交換器部９Ｂとから構成される。前側熱交換器部９Ａにおいて、上下方向の略中間部に切込みが入れられて、略くの字状に形成されているが、図１に示すように湾曲形成されたものであってもよい。
【００２６】
上記前側熱交換器部９Ａは、上記放熱フィンｂの幅方向に隣り合う伝熱管列ｃ−１、ｃ−２間に、伝熱管列ｃ−１、ｃ−２相互間での熱伝導を阻止するとともに、前側熱交換器部９Ａにおける切込みから上部側の通風抵抗が、下部側の通風抵抗よりも大きくなるように構成される遮熱部Ｓを備えている。具体的には、上部側に高圧損の遮熱部Ｓａである両側切起しを設け、下部側に低圧損の遮熱部Ｓｂであるカットを設けている。  
すなわち、先に図１（Ｂ）で説明したように、フラットパネル６が前面吸込み口３を開放した状態で、前面吸込み口３の上部側から熱交換空気を多く吸込み、下部側から吸込まれる熱交換空気の量が少ない。したがって、空調運転にともなって前側熱交換器部９Ａの上部側に導かれる熱交換空気の風速が、下部側に導かれる熱交換空気の風速よりも大になる。
【００２７】
図４（Ｂ）に示すように、比較例としての熱交換器Ｚ−３を構成する前側熱交換器部９Ａの上部側と下部側とに亘って伝熱管列ｃ−１、ｃ−２相互間に均一形状の遮熱部ｄであるカットを設けただけでは、上部側の風速が大となり、下部側の風速が小となって、風速分布に差が生じ前側熱交換器部９Ａ全体に亘って均一な熱交換効率を保持できない。  
これに対して上述のように構成することにより、図４（Ｃ）に示すようにフラットパネル６を開放して熱交換空気を導通させた状態で、前側熱交換器部９Ａ上部側の通風抵抗が大になって風速が下がり、下部側の通風抵抗が小になって風速が上がる。結果として、前側熱交換器部９Ａ全体に亘って略均一な風速分布になり、略均一な熱交換効率を保持できる。そして、上記熱交換器９−３を備えた空気調和機では、熱交換性能の向上を得られる。
【００２８】
なお、フラットパネル６は、先に図１（Ａ）、（Ｂ）で説明したような可動式のものではなく、常時前面吸込み口を開口する固定式のものであっても良い。
【００２９】
図５は、本発明における第４の実施の形態での熱交換器９−４Ａ，９−４Ｂを示している。  
ここでは、図の左側の熱交換器９−４Ａにおいて、左側列ｃ１の伝熱管ｃが全て細径に形成されているのに対して、右側列ｃ２下部のみ大径の伝熱管ｃＧが設けられる。図の右側の熱交換器９−４Ｂでは、左右列ｃ１、ｃ２下部のみ伝熱管ｃＧが大径に形成されている。  
いずれの熱交換器９−４Ａ，９−４Ｂにおいても、大径の伝熱管ｃＧが設けられる部位は、小径の伝熱管ｃが設けられる部位に比較して通風抵抗が大きく、その分、風速が低い。そこで、伝熱管列ｃ１−ｃ２の相互間に設けられる遮熱部Ｓは、管径の大なる伝熱管ｃＧが挿通する部位における遮熱部Ｓｂを低圧損の構成とし、管径の小なる伝熱管ｃが挿通する部位における遮熱部Ｓａは高圧損の構成とする。具体的には、低圧損の遮熱部Ｓｂはカットであり、高圧損の遮熱部Ｓａは両側切起しである。
【００３０】
管径の大きい伝熱管ｃＧが設けられる部分の通風抵抗が小になって風速が上がり、管径の小さい伝熱管ｃが設けられる部分の通風抵抗が大になって風速が下がる。結果として、熱交換器９−４Ａ，９−４Ｂ全体に亘って略均一な風速分布になり、略均一な熱交換効率を保持できる。そして、上記熱交換器９−４Ａ，９−４Ｂを備えた空気調和機では、熱交換性能の向上を得られる。  
図６は、本発明における第５の実施の形態での熱交換器９−５を示している。  
上記熱交換器９−５は、前側熱交換器部９Ａおよび後側熱交換器部９Ｂからなる主熱交換器部９Ｅと、この主熱交換器部９Ｅの風上側一部に設けられる補助熱交換器部９Ｃとからなる。なお、前側熱交換器部９Ａにおいて、上下方向の略中間部に切込みが入れられて、略くの字状に形成されているが、図１に示すように湾曲形成されたものであってもよい。  
ここでは、上記主熱交換器部９Ｅを構成する前側熱交換器部９Ａの前面側（風上側）に補助熱交換器部９Ｃが備えられている。前側熱交換器部９Ａにおいて放熱フィンｂの幅方向に隣り合う伝熱管列ｃ１−ｃ２間に、伝熱管列ｃ１−ｃ２相互間での熱伝導を阻止するとともに、風上側に補助熱交換器部９Ｃが存在しない部分の通風抵抗が、風上側に補助熱交換器部９Ｃが配置される部分の通風抵抗よりも大きくなるように構成される遮熱部Ｓを備えている。
【００３１】
すなわち、前側熱交換器部９Ａの上部側前面に補助熱交換器部９Ｃが配置されているので、この上部側は低圧損の遮熱部Ｓｂとし、下部側前面には補助熱交換器部９Ｃが存在しないので、下部側を高圧損の遮熱部Ｓａを構成とする。具体的には、低圧損の遮熱部Ｓｂはカットとし、高圧損の遮熱部Ｓａは両側起しとする。  
このように、前側熱交換器部９Ａの上部側で、かつ風上側に補助熱交換器部９Ｃが取付けられているので、前側熱交換器部９Ａの上部側に導かれる熱交換空気の量が、補助熱交換器部９Ｃを備えていない下部側に導かれる熱交換空気の量よりも少なくなる。したがって、空調運転にともなって前側熱交換器部９Ａの下部側に導かれる熱交換空気の風速が、上部側に導かれる熱交換空気の風速よりも大になる。
【００３２】
上述のように構成することにより、前側熱交換器部９Ａにおける上部側の通風抵抗が小になって風速が上がり、下部側の通風抵抗が大になって風速が下がる。結果として、風上側に補助熱交換器部９Ｃを備えた前側熱交換器部９Ａ全体に亘って略均一な風速分布になり、略均一な熱交換効率を保持できる。そして、上記熱交換器９−５を備えた空気調和機では、熱交換性能の向上を得られる。  
なお、本発明は上述した実施の形態そのままに限定されるものではなく、実施段階ではその要旨を逸脱しない範囲で構成要素を変形して具体化できるとともに、上述した実施の形態に開示されている複数の構成要素の適宜な組み合わせにより種々の発明を形成できる。
【図面の簡単な説明】
【００３３】
【図１】本発明における熱交換器を備えた空気調和機の室内機の互いに異なる状態を模式的に示す断面図。
【図２】本発明における第１の実施の形態に係る、熱交換器と比較例の熱交換器の構成と作用を説明する図。
【図３】本発明における第２の実施の形態に係る、熱交換器と比較例の熱交換器の構成と作用を説明する図。
【図４】本発明における第３の実施の形態に係る、熱交換器と比較例の熱交換器の構成と作用を説明する図。
【図５】本発明における第４の実施の形態に係る、熱交換器の構成図。
【図６】本発明における第５の実施の形態に係る、熱交換器の構成図。
【図７】本発明における熱伝達率と通風抵抗の特性を比較する図。
【符号の説明】
【００３４】
ａ…伝熱管挿通孔、ｂ…放熱フィン、ｃ…伝熱管、９…熱交換器、Ｓ…遮熱部（遮熱手段）、Ｓａ…高圧損の遮熱部（両側切起し）、Ｓｂ…低圧損の遮熱部（カット）、２…上面吸込み口、３…前面吸込み口、４…吹出し口、１Ａ…前面板、１Ｂ…後本体、１…室内機本体、９Ａ…前側熱交換器部、９Ｂ…後側熱交換器部、６…フラットパネル、９Ｅ…主熱交換器部、９Ｃ、９Ｄ…補助熱交換器部。
【図１】
0004796814.tif 000002
【図２】
0004796814.tif 000003
【図３】
0004796814.tif 000004
【図４】
0004796814.tif 000005
【図５】
0004796814.tif 000006
【図６】
0004796814.tif 000007
【図７】
0004796814.tif 000008